(57)【要約】【課題】  本発明は放射能汚染区域への地下水の流入を阻止でき、かつ遮蔽効果の高い高比重泥水壁を低コストで容易に設置することができる放射能汚染区域の遮水方法および放射能汚染区域の遮水壁を得るにある。【解決手段】  放射能汚染された区域を取り囲み、かつ地下水位より深い箇所までトレンチを形成するトレンチ形成工程と、このトレンチ形成工程で形成されたトレンチ内に高比重泥水を充填して、該トレンチ壁に遮蔽効果のある高比重泥水壁を形成する高比重泥水充填工程とで放射能汚染区域の遮水方法を構成している。【選択図】  図１
2015021327.tif 000002
【特許請求の範囲】
【請求項１】
放射能汚染された区域を取り囲み、かつ地下水位より深い箇所までトレンチを形成するトレンチ形成工程と、このトレンチ形成工程で形成されたトレンチ内に高比重泥水を充填して、該トレンチ壁に遮蔽効果のある高比重泥水壁を形成する高比重泥水充填工程とからなることを特徴とする放射能汚染区域の遮水方法。
【請求項２】
高比重泥水は２．３〜２．５以上の高比重であることを特徴とする請求項１記載の放射能汚染区域の遮水方法。
【請求項３】
放射能汚染された区域を取り囲み、かつ地下水位より深い箇所まで形成したトレンチと、このトレンチ内に充填された高比重泥水とからなり、トレンチ壁に遮蔽効果のある高比重泥水壁を形成したことを特徴とする放射能汚染区域の遮水壁。
【発明の詳細な説明】
【技術分野】
【０００１】
本発明は放射能汚染区域への地下水の流入によって大量の汚染水が発生するのを阻止することができる放射能汚染区域の遮水方法および放射能汚染区域の遮水壁に関する。
【背景技術】
【０００２】
従来、放射能汚染区域への地下水の流入を阻止する方法として、放射能汚染区域を取り囲み、かつ地下水位より深い箇所まで、例えば１ｍ間隔で凍結管を地盤中に設置し、該凍結管内に、例えば−４０度Ｃの冷却材を循環させ、凍結管周りの地盤を凍土にして凍土壁を形成することが考えられている。
【０００３】
しかし、この方法では放射能汚染区域の周りを凍土にする設備とエネルギーが膨大で、電力供給が止まれば凍土が融けて漏水が始まるため、仮設として使用できるが、抜本的な遮水構造になり得ないという欠点があった。
また、粘土系遮水壁は、透水係数１０．９ｍ／Ｓ程度であるが、完全に遮水することは透水係数上不可能である。
【０００４】
さらに、鋼矢板、鋼管矢板を用いた鋼製遮水壁は、接合部からの破損の恐れがあり、塩分の高い地下水の場合、腐食の危険性があるという欠点がある。
セメント系遮水壁はセメント特有のひび割れから、漏水する可能性が高いという欠点がある。
【０００５】
鉄筋コンクリートを用いたＲＣ連壁は、打ち継ぎ目部、ひび割れなどから漏水する可能性が高いという欠点がある。
【先行技術文献】
【特許文献】
【０００６】
【特許文献１】特開２０１２−１８０７３８号公報
【発明の概要】
【発明が解決しようとする課題】
【０００７】
本発明は以上のような従来の欠点に鑑み、放射能汚染区域への地下水の流入を阻止でき、かつ遮蔽効果の高い高比重泥水壁を低コストで容易に設置することができる放射能汚染区域の遮水方法および放射能汚染区域の遮水壁を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明は放射能汚染された区域を取り囲み、かつ地下水位より深い箇所までトレンチを形成するトレンチ形成工程と、このトレンチ形成工程で形成されたトレンチ内に高比重泥水を充填して、該トレンチ壁に遮蔽効果のある高比重泥水壁を形成する高比重泥水充填工程とで放射能汚染区域の遮水方法を構成している。
【００１０】
また、本発明は放射能汚染された区域を取り囲み、かつ地下水位より深い箇所まで形成したトレンチと、このトレンチ内に充填された高比重泥水とからなり、トレンチ壁に遮蔽効果のある高比重泥水壁を形成して放射能汚染区域の遮水壁を構成している。
【発明の効果】
【００１１】
以上の説明から明らかなように、本発明にあっては次に列挙する効果が得られる。
（１）請求項１により、トレンチ内に充填した高比重泥水によって、高比重泥水壁を形成することができる。
したがって、高比重泥水壁が遮蔽効果があり、地下水が放射能汚染区域に浸入するのを比重差により、確実に防止することができ、大量の汚染水が発生するのを阻止することができる。
（２）前記（１）により、トレンチに充填する高比重泥水は粘性のある流体であるので、変形追従性に富み、亀裂のある地山に充填し、確実に遮水面を構築することができる。
（３）前記（１）により、地震や地山変形により亀裂が生じても、高比重泥水を追加充填するのみで対応することができる。
したがって、容易に高比重泥水壁を再生することができる。
（４）高比重泥水充填工程は簡易であり、様々なトレンチ掘削機械への導入ができる。
（５）高比重泥水壁で放射能の遮蔽効果が得られる。
（６）請求項２も前記（１）〜（５）と同様な効果が得られる。
（７）請求項３も前記（１）〜（５）と同様な効果が得られるとともに、最適な効果が得られる高比重泥水を使用することができる。
【図面の簡単な説明】
【００１２】
【図１】本発明を実施するための第１の形態の工程図。
【図２】トレンチ形成工程の説明図。
【図３】トレンチを形成した状態の平面図。
【図４】高比重泥水充填工程の説明図。
【図５】トレンチ内に高比重泥水を充填した状態の平面図。
【発明を実施するための形態】
【００１３】
以下、図面に示す本発明を実施するための形態により、本発明を詳細に説明する。
【００１４】
図１ないし図５において、１は本発明の放射能汚染区域の遮水方法で、この放射能汚染区域の遮水方法１は放射能で汚染された区域２を取り囲み、かつ地下水位より深い箇所でトレンチ３をトレンチ掘削機械４で形成するトレンチ形成工程５と、このトレンチ形成工程５で形成されたトレンチ３内に比重が２．３〜２．５以上の高比重泥水６を充填し、該トレンチ壁に遮蔽効果のある高比重泥水壁７を形成する高比重泥水充填工程８とで構成されている。
【００１５】
前記高比重泥水充填工程８でトレンチ３に高比重泥水６を充填すると、比重差により地下水を遮水し、高比重泥水６が亀裂、空隙を流体として充填され、閉塞することで遮水層として機能するため、高比重泥水壁７となり、遮蔽効果が得られる。
【００１６】
なお、高比重泥水６は、例えば水道水が１２?、スーパークレイが６６０g、ヘマタイトが３６ｋｇ、Ｌ−１７５が３６０ｇで、トータル４９．１ｋｇ／２０?となり、２．４５の高比重泥水となる。
【００１７】
また、水道水が１０００g、スーパークレイが５５ｇ、ヘマタイトが３００７ｇ、Ｌ−１７５が３０gで、トータル４０９２ｇ／１６７０．１ｍｌとなり、２．４５の高比重泥水６となる。
【産業上の利用可能性】
【００１８】
本発明は放射能汚染区域に地下水が流入するのを阻止する遮水工事を行なう産業で利用される。
【符号の説明】
【００１９】
１：放射能汚染区域の遮水方法、２：放射能で汚染された区域、
３：トレンチ、      ４：トレンチ掘削機械、
５：トレンチ形成工程、    ６：高比重泥水、
７：高比重泥水壁、      ８：高比重泥水充填工程。
【図１】
2015021327.tif 000003
【図２】
2015021327.tif 000004
【図３】
2015021327.tif 000005
【図４】
2015021327.tif 000006
【図５】
2015021327.tif 000007